(57)【要約】  ウェアラブル装置が、第１の無線識別（ＲＦＩＤ）タグと、第２のＲＦＩＤタグと、来園客にフィードバックを提供するように構成された１又は２以上のフィードバック装置と、マイクロコントローラとを含む。マイクロコントローラは、第１の周波数を有する電磁放射線と第１のＲＦＩＤタグとの間の相互作用に応答して、１又は２以上のフィードバック装置を介して第１のタイプのフィードバックを引き起こす第１の制御信号を生成し、第２の周波数を有する電磁放射線と第２のＲＦＩＤタグとの間の相互作用に応答して、１又は２以上のフィードバック装置を介して第２のタイプのフィードバックを引き起こす第２の制御信号を生成するように構成される。【選択図】図１
2021510957.tif 000002
【特許請求の範囲】
【請求項１】
ウェアラブル装置であって、
第１の無線識別（ＲＦＩＤ）タグと、
第２のＲＦＩＤタグと、
ユーザにフィードバックを提供するように構成された１又は２以上のフィードバック装置と、
第１の周波数を有する電磁放射線と前記第１のＲＦＩＤタグとの間の相互作用に応答して、前記１又は２以上のフィードバック装置を介して第１のタイプのフィードバックを引き起こす第１の制御信号を生成し、第２の周波数を有する電磁放射線と前記第２のＲＦＩＤタグとの間の相互作用に応答して、前記１又は２以上のフィードバック装置を介して第２のタイプのフィードバックを引き起こす第２の制御信号を生成するように構成されたマイクロコントローラと、
を備えることを特徴とする装置。
【請求項２】
電磁放射線からの電力を利用するように構成された電力捕獲回路を備える、
請求項１に記載の装置。
【請求項３】
前記利用される電力を蓄積するように構成されたエネルギー蓄積装置を備える、
請求項２に記載の装置。
【請求項４】
前記１又は２以上のフィードバック装置はスピーカを含み、第１のタイプのフィードバックは、第１のタイプの可聴出力を含み、第２のタイプのフィードバックは、第２のタイプの可聴出力を含む、
請求項１に記載の装置。
【請求項５】
前記１又は２以上のフィードバック装置は触覚フィードバック装置を含み、前記第１のタイプのフィードバックは、第１のタイプの触覚出力を含み、前記第２のタイプのフィードバックは、第２のタイプの触覚出力を含む、
請求項１に記載の装置。
【請求項６】
前記１又は２以上のフィードバック装置は、光を放出するように構成された１又は２以上の発光体を含み、前記第１のタイプのフィードバックは、第１のタイプの照明を含み、前記第２のタイプのフィードバックは、第２のタイプの照明を含む、
請求項１に記載の装置。
【請求項７】
前記第１のタイプの照明は、前記１又は２以上の発光体のうちの第１の発光体を点灯させることを含み、前記第２のタイプの照明は、前記１又は２以上の発光体のうちの第２の発光体を点灯させることを含む、
請求項６に記載の装置。
【請求項８】
前記第１のタイプの照明は第１の色を含み、前記第２のタイプの照明は、前記第１の色とは異なる第２の色を含む、
請求項６に記載の装置。
【請求項９】
前記第１のタイプの照明は、前記１又は２以上の発光体のうちの少なくとも１つを一定期間にわたって連続的に点灯させることを含み、前記第２のタイプの照明は、前記１又は２以上の発光体のうちの少なくとも１つを一定期間にわたって断続的に点灯させて点滅させることを含む、
請求項６に記載の装置。
【請求項１０】
前記第１のＲＦＩＤタグは、極超短波（ＵＨＦ）電磁放射線を受け取るように構成され、前記第２のＲＦＩＤタグは、近距離無線通信（ＮＦＣ）電磁放射線を受け取るように構成される、
請求項１に記載の装置。
【請求項１１】
前記第１のＲＦＩＤタグは、読み込み／書き込みＲＦＩＤタグであり、前記マイクロコントローラは、前記第１のＲＦＩＤタグにデータが書き込まれたことに応答して、前記１又は２以上のフィードバック装置を介して第３のタイプのフィードバックを引き起こす第３の制御信号を生成するように構成される、
請求項１に記載の装置。
【請求項１２】
前記マイクロコントローラは、前記第１の周波数を有する電磁放射線と前記第１のＲＦＩＤタグとの間の相互作用、及び前記第２の周波数を有する電磁放射線と前記第２のＲＦＩＤタグとの間の相互作用に応答して、前記１又は２以上のフィードバック装置を介して第３のタイプのフィードバックを引き起こす第３の制御信号を生成するように構成される、
請求項１に記載の装置。
【請求項１３】
システムであって、
それぞれの識別情報を記憶する第１のメモリを含む第１の無線識別（ＲＦＩＤ）タグを含むウェアラブル装置と、
第１の周波数を有する電磁放射線を送信するように構成された第１のリーダと、
を備え、前記第１の周波数を有する前記電磁放射線は、前記第１のリーダが前記第１のメモリから前記それぞれの識別情報を読み込んで前記第１のＲＦＩＤタグの前記第１のメモリにデータを書き込むことを可能にし、前記システムは、
前記ウェアラブル装置によって支持された１又は２以上の発光体と、
前記ウェアラブル装置によって支持されて、前記送信された電磁放射線が前記第１のＲＦＩＤタグにおいて受け取られたことを示す第１の信号、及び前記第１のメモリに書き込まれた前記データを示す第２の信号の少なくとも一方を受け取るように構成されたマイクロコントローラと、
をさらに備え、前記マイクロコントローラは、前記受け取られた第１の信号又は前記受け取られた第２の信号に基づいて、前記１又は２以上の発光体のうちの少なくとも１つを点灯させる制御信号を生成するように構成される、
ことを特徴とするシステム。
【請求項１４】
前記送信された電磁放射線からの電力を利用するように構成された、前記ウェアラブル装置の電力捕獲回路を備え、前記１又は２以上の発光体及び前記マイクロコントローラは、前記電力を利用するように構成される、
請求項１３に記載のシステム。
【請求項１５】
前記ウェアラブル装置によって支持された、それぞれの識別情報を記憶する第２のメモリを含む第２のＲＦＩＤタグと、
第２の周波数を有する電磁放射線を送信するように構成された第２のリーダと、
を備え、前記第２の周波数を有する前記電磁放射線は、第２のリーダが前記第２のメモリから前記それぞれの識別情報を読み取ることを可能にする、
請求項１３に記載のシステム。
【請求項１６】
前記マイクロコントローラは、前記第１の周波数を有する前記電磁放射線が前記第１のＲＦＩＤタグにおいて受け取られたことを示す前記第１の信号と、前記第２の周波数を有する前記電磁放射線が前記第２のＲＦＩＤタグにおいて受け取られたことを示す第３の信号とを受け取るように構成され、前記マイクロコントローラは、前記第１の信号が受け取られたことに応答して、前記１又は２以上の発光体の第１のタイプの照明を引き起こす前記制御信号を生成し、前記第３の信号が受け取られたことに応答して、前記１又は２以上の発光体の第２のタイプの照明を引き起こす第２の制御信号を生成するように構成される、
請求項１５に記載のシステム。
【請求項１７】
前記第１のリーダは、前記第１のＲＦＩＤタグの前記第１のメモリに遊園地の乗り物の待ち時間を示すデータを書き込むように構成され、前記制御信号は、前記１又は２以上の発光体のうちの前記少なくとも１つを、前記待ち時間を示すパターンで点灯させる、
請求項１３に記載のシステム。
【請求項１８】
第１の周波数を有する電磁放射線を第１のリーダから送信するステップと、
前記第１の周波数を有する前記送信された電磁放射線が受け取られたことに応答して、ウェアラブル装置によって支持された第１の無線識別（ＲＦＩＤ）タグから前記第１のリーダに識別情報を送信するステップと、
前記ウェアラブル装置によって支持されたマイクロコントローラにおいて、前記第１の周波数を有する前記電磁放射線が前記第１のＲＦＩＤタグにおいて受け取られたことを示す第１の信号を前記第１のＲＦＩＤタグから受け取るステップと、
前記マイクロコントローラにおいて前記第１の信号が受け取られたことに応答して、前記マイクロコントローラを使用して第１の制御信号を生成するステップと、
を含み、前記第１の制御信号は、前記ウェアラブル装置によって支持された１又は２以上の発光体の複数の利用可能なタイプの照明のうちの１つを引き起こす、
ことを特徴とする方法。
【請求項１９】
第２の周波数を有する電磁放射線を第２のリーダから送信するステップと、
前記マイクロコントローラにおいて、前記ウェアラブル装置によって支持された第２のＲＦＩＤタグから、前記第２の周波数を有する前記電磁放射線が前記第２のＲＦＩＤタグにおいて受け取られたことを示す第２の信号を受け取るステップと、
前記マイクロコントローラにおいて前記第２の信号が受け取られたことに応答して、前記マイクロコントローラを使用して第２の制御信号を生成するステップと、
を含み、前記第２の制御信号は、前記ウェアラブル装置によって支持された１又は２以上の発光体の前記複数の利用可能なタイプの照明のうちの別のタイプの照明を引き起こす、
請求項１８に記載の方法。
【請求項２０】
前記ウェアラブル装置の電力捕獲回路を使用して、前記送信された電磁放射線から電力を捕獲し、該捕獲された電力を利用して、前記マイクロコントローラ及び前記１又は２以上の発光体を動作させるステップを含む、
請求項１９に記載の方法。
【発明の詳細な説明】
【技術分野】
【０００１】
〔関連出願との相互参照〕
本出願は、２０１８年１月１５日に出願された「フィードバック装置を備えた相互作用システム及び方法（ＩＮＴＥＲＡＣＴＩＶＥ  ＳＹＳＴＥＭＳ  ＡＮＤ  ＭＥＴＨＯＤＳ  ＷＩＴＨ  ＦＥＥＤＢＡＣＫ  ＤＥＶＩＣＥＳ）」という名称の米国仮特許出願第６２／６１７，５０６号に基づく優先権及びその利益を主張するものであり、この文献はその全体が全ての目的で引用により本明細書に組み入れられる。
【０００２】
本開示は、一般に相互作用システム及び方法に関する。具体的には、本開示の実施形態は、ウェアラブル装置を利用して遊園地の来園客にフィードバックを提供する相互作用システム及び方法に関する。
【背景技術】
【０００３】
遊園地及び／又はテーマパークは、様々な娯楽アトラクションを含むことができる。いくつかの既存のアトラクションは、来園客に没入的体験又は相互作用体験を提供することができる。例えば、来園客は、オーディオ、ビデオ及び特殊効果などの様々な特徴を有するエリアを訪れることができる。最新のアトラクションがますます高度かつ複雑になり、これに対応して遊園地及び／又はテーマパークの来園客間で期待が高まるとともに、より相互作用的な個人化された体験を提供するアトラクションを含む改善された独創性の高いアトラクションが必要とされている。
【発明の概要】
【課題を解決するための手段】
【０００４】
以下、当初の特許請求の範囲の主題と同一範囲のいくつかの実施形態を要約する。これらの実施形態は、本開示の範囲を限定するものではなく、むしろ開示するいくつかの実施形態の概要を示すものにすぎない。実際に、本開示は、以下に示す実施形態と同様の又は異なる様々な形態を含むことができる。
【０００５】
１つの実施形態では、ウェアラブル装置が、第１の無線識別（ＲＦＩＤ）タグと、第２のＲＦＩＤタグと、来園客にフィードバックを提供するように構成された１又は２以上のフィードバック装置と、第１の周波数を有する電磁放射線と第１のＲＦＩＤタグとの間の相互作用に応答して、１又は２以上のフィードバック装置を介して第１のタイプのフィードバックを引き起こす第１の制御信号を生成し、第２の周波数を有する電磁放射線と第２のＲＦＩＤタグとの間の相互作用に応答して、１又は２以上のフィードバック装置を介して第２のタイプのフィードバックを引き起こす第２の制御信号を生成するように構成されたマイクロコントローラとを含む。
【０００６】
１つの実施形態では、システムが、それぞれの識別情報を記憶する第１のメモリを含む第１の無線識別（ＲＦＩＤ）タグを有するウェアラブル装置を含む。システムは、第１の周波数を有する電磁放射線を送信するように構成された第１のリーダも含み、この第１の周波数を有する電磁放射線は、第１のリーダが第１のメモリからそれぞれの識別情報を読み込んで第１のＲＦＩＤタグの第１のメモリにデータを書き込むことを可能にする。システムは、ウェアラブル装置によって支持された１又は２以上の発光体と、ウェアラブル装置によって支持されたマイクロコントローラとをさらに含む。マイクロコントローラは、送信された電磁放射線が第１のＲＦＩＤタグにおいて受け取られたことを示す第１の信号、及び第１のメモリに書き込まれたデータを示す第２の信号の少なくとも一方を受け取るように構成されるとともに、受け取られた第１の信号又は受け取られた第２の信号に基づいて、１又は２以上の発光体のうちの少なくとも１つを点灯させる制御信号を生成するように構成される。
【０００７】
１つの実施形態では、方法が、第１の周波数を有する電磁放射線を第１のリーダから送信するステップと、第１の周波数を有する送信された電磁放射線が受け取られたことに応答して、ウェアラブル装置によって支持された第１の無線識別（ＲＦＩＤ）タグから第１のリーダに識別情報を送信するステップとを含む。この方法は、ウェアラブル装置によって支持されたマイクロコントローラにおいて、第１の周波数を有する電磁放射線が第１のＲＦＩＤタグにおいて受け取られたことを示す第１の信号を第１のＲＦＩＤタグから受け取るステップも含む。この方法は、マイクロコントローラにおいて第１の信号が受け取られたことに応答して、マイクロコントローラを使用して第１の制御信号を生成するステップをさらに含み、第１の制御信号は、ウェアラブル装置によって支持された１又は２以上の発光体の複数の利用可能なタイプの照明のうちの１つを引き起こす。
【０００８】
全体を通じて同じ部分を同じ符号によって示す添付図面を参照しながら以下の詳細な説明を読めば、本開示のこれらの及びその他の特徴、態様及び利点がより良く理解されるようになる。
【図面の簡単な説明】
【０００９】
【図１】本開示の実施形態による相互作用システムの概略図である。
【図２】本開示の実施形態による、図１の相互作用システムにおいて使用できるリーダとウェアラブル装置との間の通信を示す図である。
【図３】本開示の実施形態による、図１の相互作用システムにおいて使用できるリーダと複数のウェアラブル装置との間の通信を示す図である。
【図４】本開示の実施形態による、図１の相互作用システムが提供できるチームフィードバックの図である。
【図５】本開示の実施形態による、図１の相互作用システムにおいて使用できるウェアラブル装置の正面図である。
【図６】本開示の態様による、図１の相互作用システムの動作方法のフロー図である。
【発明を実施するための形態】
【００１０】
以下、本開示の１又は２以上の特定の実施形態について説明する。これらの実施形態を簡潔に説明するために、本明細書では実際の実装の特徴を全て説明していない場合もある。なお、あらゆる工学又は設計プロジェクトにおいて見られるようなあらゆるこのような実際の実装の開発においては、実装によって異なり得るシステム関連及びビジネス関連の制約の順守などの開発者の個別の目的を達成するために、数多くの実装固有の決定を行わなければならないと理解されたい。さらに、このような開発努力は複雑かつ時間の掛かるものとなり得るが、本開示の恩恵を受ける当業者にとっては設計、製作及び製造という日常的な取り組みであると理解されたい。
【００１１】
遊園地は、遊園地乗り物、実演ショー及びゲームなどの様々な娯楽を呼び物とする。様々なタイプの娯楽は、遊園地における来園客の体験を強化する特徴を含むことができる。例えば、ゲームは、ディスプレイ画面上に示されたレンダリング画像と来園客との相互作用を検出することができる。しかしながら、いくつかの相互作用システムが提供する体験は、（例えば、相互作用システムによって認識される）相互作用が正常に行われていることを来園客に通知するフィードバックの欠如に起因して最適以下の場合がある。さらに、いくつかの相互作用システムは、相互作用要素とやりとりした来園客のアイデンティティーを特定しないこともあり、従って各来園客のポイント又はその他のゲーム統計値を正確に又は効率的に追跡しないこともある。従って、相互作用システムによって実際に相互作用が検出されていることを示すフィードバックを来園客に提供する、及び／又は各来園客のゲーム統計値を追跡するシステム及び方法を提供することが望ましいと考えられる。
【００１２】
従って、本開示は、無線識別（ＲＦＩＤ）を利用して、来園客と相互作用システムとの相互作用に基づいて来園客にフィードバックを提供するシステム及び方法に関する。具体的に言えば、本開示は、１又は２以上のＲＦＩＤリーダと、アトラクションの相互作用要素との正常な相互作用を協働して示す１又は２以上のＲＦＩＤタグ及び１又は２以上のフィードバック装置（例えば、ライト）をそれぞれが有する複数のウェアラブル装置とを含む相互作用システムに関する。本明細書に開示する相互作用システムのコンポーネントは、来園客がアトラクション間を移動する際の来園客の相互作用及び進捗（例えば、ゲーム統計値）の追跡を容易にすることもできる。
【００１３】
以下で使用する「ユーザ」という用語は、相互作用システムのユーザを意味することができ、ユーザは遊園地の来園客とすることができる。一例として、ユーザは、アトラクション間を移動する際に、１又は２以上のフィードバック装置を有するウェアラブル装置を着用又は携行することができる。アトラクションは、様々な画像又はオブジェクト（例えば、ディスプレイ画面上に提示されたレンダリング画像、仮想要素又はグラフィック要素、物理的ターゲット、マスコットキャラクタ（ｃｏｓｔｕｍｅｄ  ｃｈａｒａｃｔｅｒｓ））のいずれかとすることができる様々な相互作用要素を有することができる。ユーザは、アトラクションを体験するために、例えば物理的ターゲットに触れ、又はマスコットキャラクタに接近することなどによって、相互作用要素と相互作用することができる。
【００１４】
アトラクションの周囲及び／又はいくつかの相互作用要素の近傍の様々な場所には、相互作用システムの１又は２以上のＲＦＩＤリーダを配置することができる。動作中、１又は２以上のＲＦＩＤリーダは、ユーザのウェアラブル装置内の１又は２以上のＲＦＩＤタグと通信する。１又は２以上のＲＦＩＤリーダと１又は２以上のＲＦＩＤタグとの間の通信は、ウェアラブル装置の１又は２以上のフィードバック装置を介したフィードバック応答を引き起こし（例えば、ライトを点灯させ）、これによって、例えばアトラクション内のユーザ及び／又はユーザと相互作用要素との相互作用を相互作用システムが検出したことをユーザに通知するフィードバックを提供することができる。１又は２以上のＲＦＩＤリーダと１又は２以上のＲＦＩＤタグとの間の通信は、ユーザがアトラクション間を移動する際に相互作用システムがユーザの進捗（例えば、ゲーム統計値）を追跡することを可能にすることもできる。例えば、相互作用システムは、ユーザが接触したターゲットの数及び／又はユーザが出会ったマスコットキャラクタの数を検出して追跡し続けることができる。
【００１５】
さらに、１つの実施形態では、相互作用システムが、ウェアラブル装置の１又は２以上のフィードバック装置を介して、ユーザのステータス（例えば、ゲーム内レベル）を示すフィードバックを提供することができる。例えば、ゲーム内で一定のポイント数又は上位レベルに達すると、１又は２以上のＲＦＩＤリーダが、ウェアラブル装置内の１又は２以上のＲＦＩＤタグに、１又は２以上のフィードバック装置を介したフィードバック応答を引き起こす（例えば、複数のライトを点灯させる）データを書き込むことができる。従って、相互作用システムは、ユーザがアトラクションの相互作用要素と相互作用し、及び／又はユーザが一定のレベル（例えば、マイルストーン又は実績）に達すると、実質的に即時のフィードバックを提供することができる。さらに、相互作用システムは、ユーザが携帯電話機又はキオスクなどの外部装置を参照する必要なくこのようなフィードバックを受け取ることを可能にし、これによって没入感の高い楽しい体験を提供することができる。
【００１６】
ここで図面を参照すると、図１は、リーダシステム１２（例えば、無線識別［ＲＦＩＤ］リーダシステム）及びウェアラブル装置１４を含む相互作用システム１０の概略図である。１つの実施形態では、ウェアラブル装置１４が、ユーザがアトラクション間を移動する際に着用又は携行できる、ブレスレット、ネックレス、装飾品、ピン又は玩具などのウェアラブル装置又はポータブル装置である。以下でさらに詳細に説明するように、リーダシステム１２は、電磁放射線を介してウェアラブル装置１４と通信することができ、この通信は、アトラクション間を移動するユーザの進捗（例えば、乗り終えた乗り物の数、訪れたエリア、接触した相互作用要素、出会ったマスコットキャラクタ、獲得した仮想実績）の追跡を可能にする。この通信は、ウェアラブル装置１４が、自機が出力するフィードバック応答（例えば、光、音又は触覚）を介して進捗及び／又は様々な相互作用を示すフィードバックをユーザに提供することも可能にする。
【００１７】
図１に示すように、リーダシステム１２の１つの実施形態は、１又は２以上のデータベース２２（例えば、クラウドベースのストレージシステム）に記憶された情報にアクセスする（メモリ５４及びプロセッサ５６を有する）コンピュータシステム２０に通信可能に結合された第１のリーダ１６及び第２のリーダ１８を含む。一般に、第１のリーダ１６及び第２のリーダ１８は、ウェアラブル装置１４に電磁放射線（例えば、信号）を送信する。１つの実施形態では、第１のリーダ１６が１つの周波数（例えば、範囲）の信号２４を送信し、第２のリーダ１８が、第１の周波数とは異なる別の周波数（例えば、範囲）の信号２６を送信する。第１のリーダ１６及び第２のリーダ１８は、信号２４、２６を送信することに加え、ウェアラブル装置１４から戻された信号及びコンピュータシステム２０からの信号などの信号を受け取ることもできる。１つの実施形態では、コンピュータシステム２０が、１又は２以上のデータベース２２内で符号化されたデータに記憶された情報に基づいてウェアラブル装置１４に信号２４、２６を送信するようにリーダ（例えば、第１のリーダ１６及び第２のリーダ１８）に指示する。従って、第１のリーダ１６及び第２のリーダ１８は、信号の送受信両方を行うことができるトランシーバとすることができると理解されたい。
【００１８】
図１に示すように、ウェアラブル装置１４の１つの実施形態は、相互作用システム１０のウェアラブル装置１４が開示通りに機能できるように協働する、第１のＲＦＩＤタグ２８と、第２のＲＦＩＤタグ３０と、マイクロコントローラ３２と、１又は２以上の発光ダイオード（ＬＥＤ）３４ａ、３４ｂ、３４ｃ、３４ｄと、電力回路３６とを含む。図示のように、ウェアラブル装置１４は４つのＬＥＤ３４を有しているが、これより少ない又は多くのＬＥＤ３４を有することもできると理解されたい。第１のＲＦＩＤタグ２８及び第２のＲＦＩＤタグ３０の各々は、信号を送受信するアンテナ３８と、情報（例えば、一意の識別コード）を記憶するメモリ４０と、マイクロチップ４２と、マイクロチップ４２に給電を行う集積回路４４とを含む。また、集積回路４４は、マイクロコントローラ３２に電力を供給する電力回路３６にも給電を行う。１つの実施形態では、電力回路３６が、電力を蓄積するように構成されたエネルギー蓄積装置（例えば、コンデンサ、スーパーコンデンサ又はバッテリ）を含むことができる。図示のように、ウェアラブル装置１４のマイクロコントローラ３２は、メモリ４６及びプロセッサ４８を含む。メモリ４６は、プロセッサ４８がマイクロコントローラ３２の動作を制御するために実行するコンピュータ可読命令を記憶する。
【００１９】
一般に、第１のＲＦＩＤタグ２８のアンテナ３８は、リーダシステム１２の第１のリーダ１６から信号２４を受け取るように設計され、第２のＲＦＩＤタグ３０のアンテナ２８は、第２のリーダ１８から信号２６を受け取るように設計される。マイクロコントローラ３２は、タグ２８、３０とリーダ１６、１８との間の相互作用を識別して、ＬＥＤ３４のうちの１つ又は２つ以上に、ユーザにフィードバックを提供するための信号（例えば、制御信号）を送信する。１つの実施形態では、相互作用システム１０のウェアラブル装置１４が、音を発するように構成されたオーディオ装置、又は触覚出力（例えば、振動）を提供するように構成されたハプティクスなどの、さらなる又は別のフィードバック装置を含むことができる。これに加えて、又はこれとは別に、第１のＲＦＩＤタグ２８及び／又は第２のＲＦＩＤタグ３０は、一意の識別コードを示す後方散乱を放出し、この後方散乱は、ユーザがアトラクション間を移動する際にユーザの進捗（例えば、ゲーム統計値）を追跡するためにコンピュータシステムによって利用される。
【００２０】
具体的に言えば、リーダシステム１２の第１のリーダ１６は、連続的に信号２４を送信する。第１のＲＦＩＤタグ２８のアンテナ３８は、第１のリーダ１６からの電磁放射線（例えば、信号２４）を受け取って第１のリーダ１６に信号５０を送信するように構成される。集積回路４４は、アンテナ３８が受け取った電磁放射線を電気に変換してマイクロチップ４２に給電し、マイクロチップ４２が後方散乱（例えば、信号５０）を生成する。この後方散乱は、第１のＲＦＩＤタグ２８のメモリ４０に記憶された情報（例えば、一意の識別コード）を含む。第１のリーダ１６は、この後方散乱（例えば、信号５０）を受け取って、コンピュータシステム２０に信号を送信することができる。コンピュータシステム２０は、この信号を処理して、ウェアラブル装置１４に関連するユーザのアイデンティティーを特定し（例えば、ユーザは、アトラクションを体験する前にウェアラブル装置１４を登録してウェアラブル装置１４をユーザに関連付けることができる）、及び／又は１又は２以上のデータベース２２内のウェアラブル装置１４の情報（例えば、ゲーム統計値）を更新することができる。このようにして、相互作用システム１０は、ユーザがアトラクション間を移動する際にユーザの進捗（例えば、ゲーム統計値）を追跡することができる。
【００２１】
さらに、マイクロコントローラ３２に電力が供給されると、マイクロコントローラ３２のプロセッサ４８は、第１のリーダ１６からの信号２４が第１のＲＦＩＤタグ２８において受け取られたことを示す信号を第１のＲＦＩＤタグ２８から受け取って処理することもできる。その後、マイクロコントローラ３２のプロセッサ４８は、マイクロコントローラ３２のメモリ４６に記憶された、ＬＥＤ３４ａ、３４ｂ、３４ｃ、３４ｄのうちの１つ又は２つ以上を点灯させてユーザにフィードバックを提供する命令を実行することができる。１つの実施形態では、マイクロコントローラ３２を、第１のリーダ１６からの信号２４が第１のＲＦＩＤタグ２８において受け取られたことを示す信号に応答して特定のタイプの照明（例えば、ライトの数、色、点滅パターン、時間）を提供するようにプログラムすることができる。例えば、第１のＲＦＩＤタグ２８が第１のＲＦＩＤリーダ１６からの信号２４を受け取ると、マイクロコントローラ３２は、第１のＬＥＤ３４ａを点灯させることができる。１つの実施形態では、第１のリーダ１６によって送信される信号２４が（例えば、約３００メガヘルツ〜３ギガヘルツの周波数を有する）極超短波（ＵＨＦ）信号である。従って、第１のＲＦＩＤタグ２８は、第１のリーダ１６から比較的遠い距離（例えば、最大約３、４、５、６、７、８メートル又はそれ以上）に位置する時に第１のリーダ１６から信号２４を受け取ることができる。
【００２２】
また、第２のリーダ１８も、連続的に信号２６を送信することができる。第２のＲＦＩＤタグ３０のアンテナ３８は、第２のリーダ１８からの電磁放射線（例えば、信号２６）を受け取るように構成される。集積回路４４は、アンテナ３８が受け取った放射線を電気に変換してマイクロチップ４２に給電し、マイクロチップ４２が後方散乱（例えば、信号５２）を生成する。この後方散乱は、第２のＲＦＩＤタグ３０のメモリ４０に記憶された情報（例えば、一意の識別コード）を含む。いくつかの実施形態では、第１のＲＦＩＤタグ２８及び第２のＲＦＩＤタグ３０のそれぞれのメモリ４０に記憶された情報をリンクさせ（例えば、第２のＲＦＩＤタグ３０において信号２６が受け取られたことに応答して生成される後方散乱が、第１のＲＦＩＤタグ２８のメモリ４０に記憶された情報を含むことができる）、或いは第１のＲＦＩＤタグ２８及び第２のＲＦＩＤタグ３０が１つのメモリ４０を共有する（例えば、これらのタグを、異なる周波数信号を受け取ることができる二重ＲＦＩＤタグとする）ことができると理解されたい。第２のリーダ１８は、この後方散乱（例えば、信号５２）を受け取って、コンピュータシステム２０に信号を送信することができる。コンピュータシステム２０は、この信号を処理して、ウェアラブル装置１４に関連するユーザのアイデンティティーを特定し、及び／又は１又は２以上のデータベース２２内のウェアラブル装置１４のための情報（例えば、ゲーム統計値）を更新することができる。第１のＲＦＩＤリーダ１６は、アトラクションの特定のエリア（例えば、部屋）に関連し、第２のＲＦＩＤリーダ１８は、アトラクションの特定の相互作用要素（例えば、ターゲット）に関連することができるので、コンピュータシステム２０は、ユーザの大まかな位置、及びユーザと相互作用要素との相互作用の両方を追跡することができる。このようにして、相互作用システム１０は、ユーザがアトラクション間を移動する際にユーザの進捗（例えば、ゲーム統計値）を追跡することができる。
【００２３】
さらに、マイクロコントローラ３２に電力が供給されると、マイクロコントローラ３２のプロセッサ４８は、第２のリーダ１８からの信号２６が第２のＲＦＩＤタグ３０において受け取られたことを示す信号を第２のＲＦＩＤタグ３０から受け取って処理することもできる。その後、マイクロコントローラ３２のプロセッサ４８は、マイクロコントローラ３２のメモリ４６に記憶された、ＬＥＤ３４ａ、３４ｂ、３４ｃ、３４ｄのうちの１つ又は２つ以上を点灯させてユーザにフィードバックを提供する命令を実行することができる。１つの実施形態では、マイクロコントローラ３２を、第２のリーダ１８からの信号２６が第２のＲＦＩＤタグ３０において受け取られたことを示す信号に応答して特定のタイプの照明（例えば、ライトの数、色、点滅パターン、時間）を提供するようにプログラムすることができる。例えば、第２のＲＦＩＤタグ３０が第２のＲＦＩＤリーダ１８から信号２６を受け取ると、マイクロコントローラ３２は、第１のＬＥＤ３４ｂを点灯させることができる。１つの実施形態では、第２のリーダ１６によって送信される信号２６が（例えば、約１０〜２０メガヘルツの周波数を有する）近距離無線通信（ＮＦＣ）信号である。従って、第２のＲＦＩＤタグ３０は、第１のリーダ１６から比較的近い距離（例えば、約１、２、３、４又は５センチメートル）に位置する時に第２のリーダ１８から信号２６を受け取ることができる。第１のＲＦＩＤリーダ１６は、アトラクションの特定のエリア（例えば、部屋）に関連し、第２のＲＦＩＤリーダ１８は、アトラクションの特定の相互作用要素（例えば、ターゲット）に関連することができるので、ウェアラブル装置１４上の照明（或いはオーディオ又は触覚などの他のフィードバック）は、ユーザに複数のタイプのフィードバックを提供することができる。例えば、第１のＲＦＩＤリーダ１６からの信号２４が受け取られたことに応答する第１のＬＥＤ３４ａの照明は、相互作用システム１０がアトラクションの特定のエリア内でユーザを検出したことをユーザに通知できるのに対し、第２のＲＦＩＤリーダ１８からの信号２６が受け取られたことに応答する第２のＬＥＤ３４ｂの照明は、相互作用システム１０がユーザと特定の相互作用要素との相互作用を検出したことをユーザに通知することができる。
【００２４】
一般に、第２のリーダ１８は第１のリーダ１６と同様に動作するが、第１のリーダ１６は第１のＲＦＩＤタグ２８と通信し（そして第２のＲＦＩＤタグ３０とは通信せず）、第２のリーダ１８は第２のＲＦＩＤタグ３０と通信する（そして第１のＲＦＩＤタグ２８とは通信しない）。ウェアラブル装置１４は、それぞれが異なる距離を伝播する信号２４、２６を送信するそれぞれのリーダ１６、１８と通信するように構成された少なくとも２つのＲＦＩＤタグ２８、３０を含む。比較的長い距離にわたる通信を行う第１のＲＦＩＤタグ２８及び第１のリーダ１６は、ウェアラブル装置１４の大まかな位置の追跡と、ウェアラブル装置１４の充電とを可能にするのに対し、比較的短い距離にわたる通信を行う第２のＲＦＩＤタグ３０及び第２のリーダ１８は、ユーザとアトラクション内の相互作用要素との接触（又は近接性）に基づく相互作用のモニタリングを可能にする。
【００２５】
１つの実施形態では、相互作用システム１０が、アトラクション内の異なる位置に複数の第１のリーダ１６を含むことができる。ユーザがアトラクション間を移動すると、現在どの第１のリーダ１６がウェアラブル装置１４と通信中であるかに基づいて、ユーザの位置がデータベース２２内で更新される。１つの実施形態では、第１のリーダ１６の各々とのそれぞれの相互作用に基づいてユーザにフィードバックを提供することができる。例えば、１つの第１のリーダ１６をアトラクションの入口に配置し、別の第１のリーダ１６をアトラクションの室内又はエリア内に配置することができる。この場合、ウェアラブル装置１４は、ユーザがアトラクションに入った時にフィードバック（例えば、第１のＬＥＤ３４ａの点灯）を提供することにより、相互作用システム１０によって検出されたことをユーザに通知する。その後、ユーザが室内又はエリア内に入ると、ウェアラブル装置１４は、別のフィードバック（例えば、同じフィードバック、又は第２のＬＥＤ３４ｂの点灯などの異なるフィードバック）を提供することにより、相互作用システム１０によって新たなエリア内に存在するものとして検出されたことをユーザに通知する。
【００２６】
１つの実施形態では、１又は２以上の第１のリーダ１６及び１又は２以上の第２のリーダ１８が、ユーザの没入的体験を高めるように協働することができる。例えば、ユーザは、１又は２以上の第１のリーダ１６を含むエリアに入ることができる。このエリアは、それぞれが１又は２以上の第２のリーダ１８に関連又は近接する１又は２以上のターゲットを含むことができる。上述したように、ウェアラブル装置１４は、エリア内の１つの第１のリーダ１６の範囲（例えば、比較的長い範囲）内に入ると、この１つの第１のリーダ１６と通信し、データベース２２が更新され、エリア内で検出された旨のフィードバックをユーザに提供することができる。また、ウェアラブル装置１４は、（例えば、ユーザが１つの第２のリーダ１８に関連するターゲットに到達し、接触し、又はその傍を歩くことによって）１つの第２のリーダ１８の範囲（例えば、比較的短い範囲）内に入ると、この１つの第２のリーダ１６と通信し、データベース２２が更新され、ターゲットと正常に相互作用した（例えば、ポイントが割り当てられた）旨のフィードバックをユーザに提供することができる。
【００２７】
上述したように、マイクロコントローラ３２は、ウェアラブル装置１４のＲＦＩＤタグ２８、３０とリーダ１６、１８との間の相互作用に基づいてユーザに何らかのフィードバックを提供するようにプログラムすることができる。これに加えて、又はこれとは別に、ウェアラブル装置１４のメモリ４０を更新する（例えば、リーダ１６、１８のうちの１つ又は２つ以上が１又は２以上のＲＦＩＤタグ２８、３０のメモリ４０に書き込みを行う）ことによって、ウェアラブル装置１４がユーザの進捗（例えば、ゲーム内レベル）又は待ち時間などを示すフィードバックなどの他のフィードバックを提供できるようにすることもできる。例えば、コンピュータシステム２０は、ユーザと第２のリーダ１８との最初の相互作用を検出すると、（例えば、マイクロコントローラ３２が受け取って処理する場合）マイクロコントローラ３２に第１のＬＥＤ３４ａを点灯させるようにするデータを第１のＲＦＩＤタグ２８のそれぞれのメモリ４０に書き込むように第１のリーダ１６に指示することができる。一方で、コンピュータシステム２０は、（例えば、ターゲットに関連する第２のＲＦＩＤタグ３０と第２のリーダ１８との間の通信に基づいて）ユーザがターゲットとの正常な相互作用を所定の回数だけ完了したと判定すると、マイクロコントローラ３２に複数のＬＥＤ（例えば、ＬＥＤ３４ａ〜ｄ又はこれらのいずれかの組み合わせ）を点灯させるデータ、及び／又はスピーカ又はハプティクスを介してフィードバック応答を引き起こさせるデータを第１のＲＦＩＤタグ２８のそれぞれのメモリ４０に書き込むように第１のリーダ１６に指示することができる。従って、フィードバックは、データベース２２に記憶された情報に基づいて提供される。例えば、データベース２２は、アトラクション全体を通じたユーザと１又は２以上の第１のリーダ１６及び第２のリーダ１８との相互作用に基づくユーザの進捗に関する情報を含むことができ、一定の条件が満たされた（例えば、レベル又はポイントが達成された）時点でフィードバックを提供することができる。このようにして、ウェアラブル装置１４は、ユーザの全体的な進捗又は実績を示すフィードバックを提供することができる。
【００２８】
１つの実施形態では、ユーザが、１又は２以上の第１のリーダ１６を有する特定のエリア（例えば、ステータス更新エリア）に入ることによってフィードバックを促し、又は要求することができる。これらの第１のリーダ１６のうちの１つとウェアラブル装置１４の第１のＲＦＩＤタグ２８との間で通信が行われると、コンピュータシステム２０は、ユーザの進捗を示すフィードバックを提供するためのデータを第１のＲＦＩＤタグ２８のそれぞれのメモリ４０に書き込むように第１のリーダ１６に指示できるようになる。１つの実施形態では、第１のＲＦＩＤタグ２８が１つの第１のリーダ１６及び／又は１つの第２のリーダ１８と通信する度に、ユーザがこのようなユーザの進捗を示すフィードバックを受け取ることができる。従って、ユーザがアトラクション間を移動するにつれて、ユーザを進捗に関して繰り返し更新することができる。
【００２９】
１つの実施形態では、ＬＥＤ３４ａ〜ｄを使用してアトラクションの待ち時間の目安を示すことができる。例えば、コンピュータシステム２０は、（例えば、アトラクションの入口に近接する第１のリーダ１６と第１のＲＦＩＤタグ２８との間の通信に基づいて）ユーザがアトラクションに接近中であることを検出すると、（例えば、マイクロコントローラ３２が受け取って処理する場合）待ち時間、又は特定の待ち時間閾値が満たされたかどうかを伝える形でマイクロコントローラ３２にＬＥＤ３４ａ〜ｄを点灯させるためのデータを第１のＲＦＩＤタグ２８のそれぞれのメモリ４０に書き込むように第１のリーダ１６に指示することができる。例えば、少なくとも１つのＬＥＤ３４を多色とし（例えば、赤色光、黄色光及び緑色光を発光するように構成し）、各色がおおよその待ち時間を示す（例えば、第１の色が１５分を超える待ち時間を示し、第２の色が５分未満の待ち時間を示し、第３の色が待ち時間なしを示す）ようにすることができる。アトラクション又は遊園地全体を通じて複数の第１のリーダ１６を配置することができるので、ユーザは、たとえアトラクションの入口に近接する第１のリーダ１６の範囲から退出した後であっても（例えば、他の第１のリーダ１６が第１のＲＦＩＤタグ２８のそれぞれのメモリ４０にデータを書き込むことができるので）待ち時間に関するフィードバックを受け取り続けることができる。１つの実施形態では、各ＬＥＤ３４が、点灯したＬＥＤ３４の数が待ち時間の目安となる（例えば、４つのＬＥＤは６０分以上の待ち時間を示し、３つのＬＥＤは４５分以上の待ち時間を示し、２つのＬＥＤは３０分以上の待ち時間を示し、１つのＬＥＤは１５分以上の待ち時間を示す）ようにおおよその待ち時間（例えば、５分、１０分、１５分）を表すことができる。１つの実施形態では、ＬＥＤ３４がカウントダウンタイマを表すことができる。例えば、ユーザがアトラクションに接近中であることを検出すると、最初に全てのＬＥＤ３４ａ〜ｄが点灯し、その後にカウントダウンタイマが減少するにつれて順々に消灯する。
【００３０】
上述したように、１つの実施形態では、第１のＲＦＩＤタグ２８のアンテナ３８がＵＨＦ波のみを受け取ることができ、第２のＲＦＩＤタグ３０のアンテナ３８がＮＦＣ波のみを受け取ることができる。例えば、第１のＲＦＩＤタグ２８は、ＵＨＦ波のみを使用して通信（例えば、受信又は送信）することができ、第２のＲＦＩＤタグ３０は、ＮＦＣ波のみを使用して通信することができる。ＵＨＦ信号は、より長い距離を伝播するので、第１のＲＦＩＤタグ２８は、ユーザがアトラクション間を移動する際に第１のリーダ１６によって放出されたＵＨＦ信号を頻繁に又は連続的に受け取ることができるが、第２のＲＦＩＤタグ３０は、ユーザが第２のリーダ１８の近傍にウェアラブル装置１４を配置した時にのみ、第２のリーダ１８によって放出されたＮＦＣ信号を受け取ることができる。従って、１つの実施形態では、ＵＨＦ信号を（例えば、集積回路４４及び電力回路３６による電力捕獲（ｐｏｗｅｒ  ｈａｒｖｅｓｔｉｎｇ）を介した）ウェアラブル装置１４の給電又は充電に使用することができる。しかしながら、ＮＦＣ信号をウェアラブル装置１４の給電又は充電に使用することもできる。
【００３１】
なお、相互作用システム１０は、複数のユーザを追跡して複数のウェアラブル装置１４にフィードバックを提供することができると理解されたい。例えば、複数のユーザの各々は、アトラクション内の異なる位置に配置された複数の第１のリーダ１６及び第２のリーダ１８と通信するように構成されたそれぞれのウェアラブル装置１４を着用することができる。また、１つの実施形態では、相互作用システム１０のウェアラブル装置１４が、本明細書に開示する技術を容易にするために第１の周波数（例えば、ある周波数範囲）の信号及び第２の周波数（例えば、別の周波数範囲）の信号と通信できる単一のＲＦＩＤタグ（例えば、二重周波数ＲＦＩＤタグ）を含むことができると理解されたい。
【００３２】
図２は、相互作用システム１０の１つの実施形態の図である。図示のように、相互作用システム１０は、２つの第１のリーダ１６ａ及び１６ｂと、ターゲット５８内に又はターゲット５８に近接して配置された第２のリーダ１８と、ユーザ６０が着用したウェアラブル装置１４とを含む。第１のリーダ１６ａ及び１６ｂ及び第２のリーダ１８は、コンピュータシステム２０及びデータベース２２に通信可能に結合される。第１のリーダ１６ａは、第１のエリア６２ａ（例えば、アトラクションのゾーン又は部屋）内でウェアラブル装置１４の第１のＲＦＩＤタグ２８が受信できる信号２４ａを連続的に放出し、同様に第１のリーダ１６ｂは、ユーザ６０が第２のエリア６２ｂに入った時にウェアラブル装置１４の第１のＲＦＩＤタグ２８が受信できる信号２４ｂを連続的に放出する。従って、ウェアラブル装置１４は、ユーザ６０の位置に応じて、第１のエリア６２ａ内の第１のリーダ１６ａ又は第２のエリア６２ｂ内の第１のリーダ１６ｂの一方又は両方と通信する（例えば、信号／電磁放射線、後方散乱情報を受け取る）ことができる。コンピュータシステム２０は、どちらの第１のリーダ（例えば、１６ａ又は１６ｂ）がウェアラブル装置１４と通信するかに基づいてユーザ６０の位置を特定し、データベース２２をユーザ６０の位置を示すデータで更新する。また、ユーザ６０のウェアラブル装置１４が第１のリーダ１６ａ又は第１のリーダ１６ｂと通信すると、電力が捕獲されて（ｈａｒｖｅｓｔｅｄ）マイクロコントローラ３２に供給される。従って、マイクロコントローラ３２は、第１のＲＦＩＤタグ２８から受け取られた信号の処理、及び／又は第１のＲＦＩＤタグ２８のメモリ４０に書き込まれたデータの読み取りを開始する。例えば、マイクロコントローラ３２は、第１のＲＦＩＤタグ２８が第１のリーダ１６の一方と通信したことを示す信号を第１のＲＦＩＤタグ２８から受け取って、対応するフィードバック応答を提供する（例えば、１又は２以上のＬＥＤを点灯させる）ことができる。上述したように、第１のＲＦＩＤタグ２８は、第１のＲＦＩＤタグ２８のメモリ４０にデータに書き込む第１のリーダ１６から、マイクロコントローラ３２に特定のフィードバック応答を提供させる信号を受け取ることができる。
【００３３】
図２に示すように、第２のリーダ１８は、ターゲット５８内に又はターゲット５８に近接して配置される。ターゲット５８は、アトラクション内のいずれかの様々なオブジェクト又は特徴とすることができる。１つの実施形態では、ターゲット５８が静止物体であるが、ターゲット５８は、仮想オブジェクト（例えば、ディスプレイ画面上の画像、仮想要素、グラフィック要素）、又はアトラクションの周囲を移動するマスコットキャラクタなどの可動物体とすることもできる。第２のリーダ１８は、エリア６４内で受信可能な信号２６を放出する。動作時には、ユーザ６０がウェアラブル装置１４をエリア６４内に持ち込むと、ウェアラブル装置１４が第２のリーダ１８と通信する。この結果、ウェアラブル装置１４の第２のＲＦＩＤタグ３０が、ユーザを識別する情報を含む後方散乱を放出する。第２のリーダ１８は、この情報をコンピュータシステム２０に送信して、ユーザ６０が第２のリーダ１８によって検出され、従ってターゲット５８と相互作用したことを示す。さらに、マイクロコントローラ３２は、第２のＲＦＩＤタグ３０が第２のリーダ１８と通信したことを示す信号を第２のＲＦＩＤタグ３０から受け取って、対応するフィードバック応答を提供する（例えば、１又は２以上のＬＥＤを点灯させる）ことができる。
【００３４】
なお、マイクロコントローラ３２は、第１のＲＦＩＤタグ２８が第１のリーダ１６のうちの１つと通信したことを示す第１のＲＦＩＤタグ２８からの信号が受け取られたことに応答して、第１のフィードバック応答を引き起こす第１の制御信号を生成し、第２のＲＦＩＤタグ３０が第２のリーダ１８と通信したことを示す第２のＲＦＩＤタグ３０からの信号が受け取られたことに応答して、第２のフィードバック応答を引き起こす第２の制御信号を生成し、第１のＲＦＩＤタグ２８及び第２のＲＦＩＤタグ３０の両方がそれぞれのリーダ（すなわち、第１のリーダ１６及び第２のリーダ１８）と通信したことを示す信号が受け取られたことに応答して、第３のフィードバック応答を引き起こす第３の制御信号を生成するように構成することができると理解されたい。第１、第２及び第３のフィードバック応答は、照明のタイプ（例えば、ライトの数、色、点滅パターン、時間の長さ）、音のタイプ（例えば、音量、トーン、ビープ音パターン、時間の長さ）、又は触覚のタイプ（例えば、強度、時間の長さ）などの異なるタイプのフィードバック応答とすることができる。
【００３５】
ユーザ６０は、ある時間帯にエリア６２ａ又は６２ｂのいずれにも存在せず、従って第１のリーダ１６ａ及び１６ｂから信号２４ａ及び２４ｂを受け取らない可能性がある。１つの実施形態では、ウェアラブル装置１４が、たとえエリア６２ａ及び６２ｂの外部に存在している間でも電力回路３６に蓄積された電力を利用して（例えば、５秒、１５秒、３０秒、６０秒又はそれ以上にわたって）電力を供給し続けることができる。従って、ウェアラブル装置１４は、たとえユーザがエリア６２ａ及び６２ｂの外部に存在している間でもフィードバックを提供する（例えば、ＬＥＤを点灯して進捗又は待ち時間などを示す）ことにより、ユーザがフィードバック応答に気付く時間を増やすことができる。１つの実施形態では、第１のリーダ１６ａから放出される信号２４ａによって定められるエリア６２ａからユーザ６０が離れた場合、フィードバック応答（例えば、ＬＥＤの点灯）を停止することができる。
【００３６】
図３は、第１のユーザ６０ａと、第２のユーザ６０ｂと、ターゲット５８内に又はターゲット５８に近接して配置された第２のリーダ１８と、第１のリーダ１６とを含む相互作用システム１０の１つの実施形態の図である。第２のリーダ１８及び第１のリーダ１６は、コンピュータシステム２０及びデータベース２２に通信可能に結合される。また、第２のリーダ１８は、エリア６４全体にわたって信号２６を放出している。第１のユーザ６０ａは、１又は２以上のＬＥＤ３４を含む第１のウェアラブル装置１４ａを着用しており、第２のユーザ６０ｂは、１又は２以上のＬＥＤ３４を含む第２のウェアラブル装置１４ｂを着用している。１つの実施形態では、第２のリーダ１８が比較的短い通信範囲を有し、従って第２のリーダ１８を含むターゲット５８にユーザが物理的に接触した時、又はウェアラブル装置１４が別様にエリア６４内に持ち込まれた時にウェアラブル装置１４と通信する。さらに、第１のリーダ１６は比較的長い通信範囲を有し、従って電磁放射線を通じてウェアラブル装置１４ａ及び１４ｂと絶えず通信している。
【００３７】
動作中、第２のリーダ１８を含むターゲット５８に第１のユーザ６０ａが接触する（例えば、触れる又は達する）と、ウェアラブル装置１４は、１又は２以上のＬＥＤ３４の点灯を通じてフィードバック６６を提供する。具体的には、第１のユーザ６０ａが第２のリーダ１８に接触すると、第１のウェアラブル装置１４ａ（具体的には、第１のウェアラブル装置１４ａの第２のＲＦＩＤタグ３０）が第２のリーダ１８の範囲内に持ち込まれる。第２のユーザ６０ｂは、第２のリーダ１８の範囲外の距離６８に存在するので、第２のウェアラブル装置１４ｂの１又は２以上のＬＥＤ３４からのフィードバックを受け取らない。ある実施形態では、第１のユーザ６０ａ及び第２のユーザ６０ｂがいずれも（例えば、同時にターゲット５８に接触することによって）第２のリーダ１８の範囲内に存在する場合もある。このような場合、第１のウェアラブル装置１４及び第２のウェアラブル装置１４ｂのＬＥＤ３４は、いずれも好適なフィードバックを引き起こす。
【００３８】
図４は、チームフィードバック（例えば、チームに指定された又は割り当てられた複数のユーザへのフィードバック）を示す相互作用システム１０の実施形態を示す。図４に示すように、第１のユーザ６０ａ、第２のユーザ６０ｂ、第３のユーザ６０ｃ、第２のリーダ１８及び第１のリーダ１６が存在する。第２のリーダ１８及び第１のリーダ１６は、コンピュータシステム２０及びデータベース２２に電子的に結合される。第１のユーザ６０ａ、第２のユーザ６０ｂ及び第３のユーザ６０ｃは、それぞれが１又は２以上のＬＥＤ３４を有する第１のウェアラブル装置１４ａ、第２のウェアラブル装置１４ｂ及び第３のウェアラブル装置１４ｃをそれぞれ有する。第１のユーザ６０ａ及び第３のユーザ６０ｃはチームの一部であり、従って第１のユーザ６０ａ及び第３のユーザ６０ｃを第２のユーザ６０ｂと区別するチームインジケータ７０を身に付けることができる。１つの実施形態では、このチームインジケータを、ウェアラブル装置１４の物理的特徴（例えば、色、形状、パターン）とすることができる。１つの実施形態では、コンピュータシステム２０が、データベース２２に記憶された情報（例えば、名字、年齢、同時にアトラクションに入ったグループ、ゲームレベルなどの特性によってつながっている家族又はその他のユーザ、ウェアラブル装置１４の特徴、ユーザが入力したチーム選択又は割り当ての要求）に基づいてチームを形成又は決定することができる。従って、第１のユーザ６０ａ及び第３のユーザ６０ｃは第１のチーム（例えば、チームＡ）に属し、第２のユーザは第２のチーム（例えば、チームＢ）に属する。
【００３９】
図４に示すように、第１のユーザ６０ａが着用している第１のウェアラブル装置１４ａはエリア６４内に存在して、第２のリーダ１８によって放出される信号２６と相互作用する。上述したように、第２のリーダ１８は、第１のウェアラブル装置１４ａの第２のＲＦＩＤタグ３０のメモリ４０からの情報を後方散乱によって受け取る。この情報はコンピュータシステム２０に送信され、コンピュータシステム２０はこの情報に基づいて第１のユーザ６０ａを識別する。また、コンピュータシステム２０は、データベース２２に記憶された情報に基づいて、第１のユーザ６０ａがチームＡに属していると判断する。この結果、コンピュータシステム２０は、第１及び第３のユーザ６０ａ、６０ｃのウェアラブル装置１４ａ、１４ｃに電磁放射線を送信してそれぞれの第１のＲＦＩＤタグ２８のメモリ４０にデータを書き込むように第１のリーダ１６に指示する信号（例えば、制御信号）を送信する。ウェアラブル装置１４ａ、１４ｃの各々のそれぞれのマイクロコントローラ３２は、それぞれの第１のＲＦＩＤタグ２８のメモリ４０に書き込まれたデータを読み取る。更新されたメモリ４０は、マイクロコントローラ３２によって読み取られた時にマイクロコントローラ３２に特定のフィードバック応答を開始させるデータを含む。
【００４０】
図示のように、フィードバック応答は、第１のウェアラブル装置１４ａ及び第３のウェアラブル装置１４ｃのＬＥＤ３４の点灯を介して提供される。従って、１人のユーザ（例えば、第１のユーザ６０ａ）がターゲット５８と１回相互作用すると、この相互作用に起因してチームに属する全てのユーザがフィードバックを受け取ることができる。１つの実施形態では、全ての第１のリーダ１６がコンピュータシステム２０に通信可能に結合することができるので、同じチームのユーザは、（例えば、同じ第１のリーダ１６からの信号を受け取らない）異なるエリア内に存在する場合でもフィードバックを受け取ることができる。１つの実施形態では、同じリーダ１６からの信号２４を受け取るユーザのみにフィードバックが提供される。１つの実施形態では、同じチームの全てのユーザが、どの第１のリーダ１６から信号２４を受け取っているかにかかわらずフィードバックを受け取る。
【００４１】
図５は、本技術の実施形態によるウェアラブル装置１４の図である。ウェアラブル装置１４は、ハウジング７３に結合された首ひも（ｌａｎｙａｒｄ）７１（例えば、ロープ又は紐）を有するように示しているが、ウェアラブル装置１４はあらゆる好適な形態を有することができると理解されたい。例えば、ウェアラブル装置１４は、（例えば、ハウジング７３をユーザの手首に固定するための）ストラップを含むことができ、或いはユーザが携行する装飾品又は玩具とすることもできる。図示のように、ウェアラブル装置１４は、第１のＬＥＤディスプレイ７２、第２のＬＥＤディスプレイ７４、オーディオ装置７６（例えば、スピーカ）、及びハプティクス７８（例えば、振動装置）を含む。ＬＥＤ３４、ハプティクス７８、オーディオ装置７６又はその他のフィードバック装置のいずれかの組み合わせを作動させてユーザにフィードバックを提供することもできる。ウェアラブル装置１４は、これらのフィードバック装置の１つのみを含むことも、或いはこれらのフィードバック装置のいずれかの組み合わせを含むこともできると理解されたい。
【００４２】
図示のように、ウェアラブル装置１４は、複数のＬＥＤディスプレイ（例えば、第１のＬＥＤディスプレイ７２及び第２のＬＥＤディスプレイ７４）を含むことができ、各ＬＥＤディスプレイは、様々なタイプのフィードバックを提供することができる。例えば、第１のＬＥＤディスプレイ７２が、１又は２以上の第１のリーダ１６及び／又は１又は２以上の第２のリーダ１８との相互作用を示すフィードバックを提供する一方で、第２のＬＥＤディスプレイ７２は、アトラクションの待ち時間を示すフィードバックを提供することができる。図５に示すように、第１のＬＥＤディスプレイ７２及び第２のＬＥＤディスプレイ７４は、それぞれ３つのＬＥＤ（それぞれ３４ａ〜ｃ及び３４ｄ〜ｆ）を含む。１つの実施形態では、ウェアラブル装置１４が、あらゆる数のＬＥＤを含むあらゆる数のＬＥＤディスプレイ（例えば、１又は複数のＬＥＤを含む１つ、２つ又は３つ以上のＬＥＤディスプレイ）を含むことができる。１つの実施形態では、本明細書に開示する様々なタイプのフィードバックの一部又は全部を単一のＬＥＤディスプレイ（例えば、ＬＥＤディスプレイ７２）が提供することもできる。
【００４３】
図６は、本技術による、ウェアラブル装置１４の動作プロセス８０の１つの実施形態を示すフロー図である。なお、本明細書で説明するステップは例示的なものにすぎず、いくつかのステップを省略又は追加することも、ステップを異なる順序で実行することもできると理解されたい。１つの実施形態では、ウェアラブル装置１４のマイクロコントローラ３２と協働する第１のＲＦＩＤタグ２８及び／又は第２のＲＦＩＤタグ３０がプロセス８０を実行することができる。
【００４４】
プロセス８０は、第１のＲＦＩＤタグ２８及び／又は第２のＲＦＩＤタグ３０のアンテナ３８がそれぞれの第１のリーダ１６又は第２のリーダ１８から電磁放射線を受け取る（ブロック８２）ことによって開始する。上述したように、アンテナ３８は、電磁放射線を受け取った後に、ＲＦＩＤタグ２８、３０のメモリ４０内に記憶された情報を含む後方散乱をそれぞれのリーダ１６、１８に戻す。１つの実施形態では、この情報が、ウェアラブル装置１４に固有の、従ってユーザ（例えば、ウェアラブル装置１４を使用するユーザ）を識別する識別番号を含むことができる。１つの実施形態では、第１のリーダ１６によって放出された電磁放射線が比較的長い距離を伝播し、第２のリーダ１８によって放出された電磁放射線が比較的短い距離を伝播する。第１のＲＦＩＤタグ２８は、第１のリーダ１６と通信することができ、第２のＲＦＩＤタグ３０は、第２のリーダ１８と通信することができる。
【００４５】
ウェアラブル装置１４は、電磁放射線を受け取ると、電磁放射線から電力を捕獲する（ブロック８４）。上述したように、第１のＲＦＩＤタグ２８及び第２のＲＦＩＤタグ３０は、それぞれマイクロチップ４２に給電を行う集積回路４４を含むことができる。また、集積回路４４は、電力回路３６に給電を行い、電力回路３６は、ウェアラブル装置（例えば、フィードバック装置）のマイクロコントローラ３２（ブロック８６）及びその他のコンポーネントに電力を供給する。１つの実施形態では、電力回路３６が、受信コイルに電気的に結合されてウェアラブル装置１４が第１のリーダ１６及び／又は第２のリーダ１８から信号を受け取った時に電力を蓄積するエネルギー蓄積装置（例えば、コンデンサ、スーパーコンデンサ又はバッテリ）を含むことができる。
【００４６】
マイクロコントローラ３２に給電が行われると、プロセッサ４８は、第１のＲＦＩＤタグ２８及び／又は第２のＲＦＩＤタグ３０から信号を受信し及び／又は処理するための、メモリ４６に記憶されたコマンドを実行する（ブロック８８）。１つの実施形態では、マイクロコントローラ３２を、受電時に第１のＲＦＩＤタグ２８及び／又は第２のＲＦＩＤタグ３０に連続的に又は定期的に問い合わせを行うようにプログラムすることができる。
【００４７】
次に、マイクロコントローラ３２は、１又は２以上のフィードバック装置に信号（例えば、制御信号）を出力する（ブロック９０）。１つの実施形態では、この制御信号が、ＬＥＤ３４のうちの１つ又は２つ以上及び／又はその他のフィードバック装置（例えば、オーディオ装置、ハプティクス）の作動を引き起こすことができる。１つの実施形態では、この制御信号が、１つのＬＥＤ３４に付与されてＬＥＤ３４の強度を変化させる可変電圧である。１つの実施形態では、この信号が、ＬＥＤ３４を点滅させる振動電圧信号である。
【００４８】
フィードバック装置（例えば、ＬＥＤ、ハプティクス、オーディオ装置）は、ユーザにフィードバック応答を提供する（ブロック９２）。フィードバック応答は、ウェアラブル装置１４とアトラクション内に配置されたリーダシステム１２との間の相互作用に応答して提供することができる。例えば、フィードバック応答は、１つのＬＥＤ３４を点灯させて、ユーザが第１のリーダ１６のゾーンに進入した（例えば、ユーザのウェアラブル装置１４が第１のリーダ１６と正常に通信している）旨、或いはターゲット５８などの相互作用要素と正常に相互作用した旨をユーザに通知することを含むことができる。
【００４９】
上述したように、第１のリーダ１６及び／又は第２のリーダ１８は、第１のＲＦＩＤタグ２８及び／又は第２のＲＦＩＤタグ３０のメモリ４０に書き込みを行うことができる。従って、ユーザは、データベース２２内で追跡される情報（例えば、レベルアップ、ハイスコアの到達）に基づいて目標を達成した時点でフィードバック応答を受け取ることができる。１つの実施形態では、異なるユーザが（例えば、これらのユーザが同じチームに属する場合に）上手く目標を達成することによってフィードバック応答が発生することができる。１つの実施形態では、フィードバック応答が、時間（例えば、アトラクションのエリア内の待ち時間又は残り時間）を示す１又は２以上のＬＥＤ３４を含むことができる。１つの実施形態では、フィードバック応答が、ウェアラブル装置１４のオーディオ装置７６からの、ユーザが行動を起こす（例えば、レースを開始する、次のゾーンに移動する、ゲームに参加する、など）必要があることを示す音を含むことができる。１つの実施形態では、オーディオ装置７６からの音量、ＬＥＤ照明の強度、又はハプティクス７８の強度を高めることによって、例えばアトラクション内の目標に向かって進んでいることを示すことができる。
【００５０】
従って、本開示は、リーダシステムとウェアラブル装置とを有し、ウェアラブル装置のＲＦＩＤタグとリーダシステムのリーダとの間の通信に基づいてウェアラブル装置がフィードバック応答を発する相互作用システムに関する。具体的に言えば、リーダシステムは、動作中に電磁放射線を通じてウェアラブル装置の第１のＲＦＩＤ及び第２のＲＦＩＤと通信する（例えば、信号を送受信する）リーダ（例えば、１又は２以上の第１のリーダ１６及び１又は２以上の第２のリーダ１８）を含む。リーダは、ある範囲（例えば、通信範囲）内で電磁放射線を連続的に放出し、ウェアラブル装置がその範囲に入った時にウェアラブル装置と通信する。例えば、１つのリーダ（例えば、第１のリーダ）は、別のリーダ（例えば、第２のリーダ）の通信範囲よりも大きな通信範囲を有することができる。従って、第１のリーダは、一般に第２のリーダが第２のＲＦＩＤと通信するよりも頻繁に、及び／又はこのような通信とは異なる時点でウェアラブル装置の第１のＲＦＩＤと通信する。ＲＦＩＤタグと定期的に又は長期間にわたって通信するリーダほど、電力捕獲装置への給電に適し、従って動作のためにより多くの電力を必要とし得るウェアラブル装置にフィードバック装置（例えば、オーディオ装置、ハプティクス、１又は２以上のＬＥＤ）を含めることを可能にするのに適することができる。１つの実施形態では、ＲＦＩＤリーダが、来園客が相互作用（例えば、接触又は到達）できる静止ターゲット内に配置される。１つの実施形態では、ＲＦＩＤリーダが、可動ターゲット内に配置（例えば、遊園地におけるキャラクタコスチューム内に配置）される。本明細書に開示した実施形態は、２つの異なる通信範囲を有する２つのＲＦＩＤリーダを含んでいるが、システム内にはあらゆる数の異なる通信範囲（例えば、１つ、２つ、３つ、４つ、５つ又は６つ以上の異なる通信範囲）を有するように構成されたあらゆる数のリーダ（例えば、１つ、２つ、３つ、４つ、５つ又は６つ以上のリーダ）を設けることができると理解されたい。さらに、ウェアラブル装置は、様々なリーダと通信して本明細書で開示した機能を提供するように構成されたあらゆる数のＲＦＩＤタグ（例えば、１つ、２つ、３つ、４つ、５つ又は６つ以上のＲＦＩＤタグ）を含むことができる。
【００５１】
本明細書では、本開示のいくつかの特徴のみを図示し説明したが、当業者には多くの修正及び変更が思い浮かぶであろう。従って、添付の特許請求の範囲は、本開示の正確な趣旨に従う全てのこのような修正及び変更を含むように意図されていると理解されたい。なお、図１〜図６に関して図示又は説明した特徴は、いずれもあらゆる好適な形で組み合わせることができると理解されたい。
【００５２】
本明細書に示して特許請求する技術は、本技術分野を確実に改善する、従って抽象的なもの、無形のもの又は純粋に理論的なものではない実際的性質の有形物及び具体例を参照し、これらに適用される。さらに、本明細書の最後に添付するいずれかの請求項が、「．．．［機能］を［実行］する手段」又は「．．．［機能］を［実行］するステップ」として指定されている１又は２以上の要素を含む場合、このような要素は米国特許法１１２条（ｆ）に従って解釈すべきである。一方で、他のいずれかの形で指定された要素を含むあらゆる請求項については、このような要素を米国特許法１１２条（ｆ）に従って解釈すべきではない。
【符号の説明】
【００５３】
１０  相互作用システム
１２  リーダシステム
１４  ウェアラブル装置
１６  第１のリーダ
１８  第２のリーダ
２０  コンピュータシステム
２２  データベース
２４  信号
２６  信号
２８  第１のＲＦＩＤタグ
３０  第２のＲＦＩＤタグ
３２  マイクロコントローラ
３４Ａ〜Ｄ  発光ダイオード（ＬＥＤ）
３６  電力回路
３８  アンテナ
４０  メモリ
４２  マイクロチップ
４４  集積回路
４６  メモリ
４８  プロセッサ
５０  信号
５２  信号
５４  メモリ
５６  プロセッサ
【図１】
2021510957.tif 000003
【図２】
2021510957.tif 000004
【図３】
2021510957.tif 000005
【図４】
2021510957.tif 000006
【図５】
2021510957.tif 000007
【図６】
2021510957.tif 000008
【国際調査報告】
2021510957.tif 000009
2021510957.tif 000010